(57)【要約】      （修正有）【課題】コストの削減、組立時間の短縮及び騒音レベルの低減を実現する加熱調理器を提供する。【解決手段】加熱調理器は、筐体２と、筐体の内部において、それぞれ対角線状に配置された第１の加熱コイル４及び第２の加熱コイル５と、筐体の内部に設けられ、第１の加熱コイル及び第２の加熱コイルを駆動するインバーター回路基板６と、筐体の内部において第２の加熱コイルの下方に設けられ、インバーター回路基板に向かって空気が吹き出される吐出口が形成されたファン１０と、を備え、ファンは、インバーター回路基板、第１の加熱コイル、第２の加熱コイルの順に空気が流れる風路を筐体の内部に形成する。【選択図】図５
2018147568.tif 000002
【特許請求の範囲】
【請求項１】
筐体と、
前記筐体の内部において、それぞれ対角線状に配置された第１の加熱コイル及び第２の加熱コイルと、
前記筐体の内部に設けられ、前記第１の加熱コイル及び前記第２の加熱コイルを駆動するインバーター回路基板と、
前記筐体の内部において前記第２の加熱コイルの下方に設けられ、前記インバーター回路基板に向かって空気が吹き出される吐出口が形成されたファンと、を備え、
前記ファンは、前記インバーター回路基板、前記第１の加熱コイル、前記第２の加熱コイルの順に空気が流れる風路を前記筐体の内部に形成する
加熱調理器。
【請求項２】
前記インバーター回路基板には、
前記第１の加熱コイル及び前記第２の加熱コイルを駆動する電子部品と、
前記電子部品を冷却するヒートシンクと、が設けられており、
前記ファン及び前記ヒートシンクを覆い、前記風路の一部を形成するファンカバーを更に備え、
前記ファンカバーは、
前記ファンの上面を覆うカバー本体部と、
前記カバー本体部に接続され、前記吐出口から吹き出された空気の流れが曲がるように湾曲した湾曲部と、
前記湾曲部に接続され、前記ヒートシンクの上面を覆うカバー部と、を有する
請求項１記載の加熱調理器。
【請求項３】
前記ファンカバーは、
前記カバー本体部の上面から立設し、前記カバー本体部の上面に流れる空気を上方に誘導するカバー誘導壁を更に有し、
前記カバー誘導壁には、
空気が上方に吹き出されるカバー吹出口が形成されている
請求項２記載の加熱調理器。
【請求項４】
前記湾曲部の回転半径は、
前記ヒートシンクの幅の長さである
請求項２又は３記載の加熱調理器。
【請求項５】
前記ファンカバーは、
前記カバー部の上部に設けられ、前記インバーター回路基板に流れる空気の一部が流入する流路が形成されたダクトを更に有し、
前記ダクトの前記流路は、湾曲している
請求項２〜４のいずれか１項に記載の加熱調理器。
【請求項６】
前記ダクトの前記流路の回転半径は、
前記ヒートシンクの幅の長さである
請求項５記載の加熱調理器。
【請求項７】
前記第１の加熱コイルの下方に設けられ、前記風路の一部を形成する風向誘導部を更に備え、
前記風向誘導部は、
前記インバーター回路基板から流出した空気の流れが前記第１の加熱コイルの周囲に沿って曲がるように湾曲した風向誘導壁を有し、
前記風向誘導壁には、
空気の一部が上方に吹き出される風向吹出口が形成されている
請求項１〜６のいずれか１項に記載の加熱調理器。
【請求項８】
前記筐体の内部に設けられ、前記インバーター回路基板が固定される主基板ホルダーを更に備え、
前記主基板ホルダーは、
前記インバーター回路基板が載置される主基板載置部と、
前記主基板載置部から上方に突出する主基板突起と、
前記主基板載置部の縁部から立設する主基板壁と、
前記インバーター回路基板に接続されるケーブルの配線方向を固定する主基板ロック機構と、を有する
請求項１〜７のいずれか１項に記載の加熱調理器。
【請求項９】
前記風向誘導部は、
前記インバーター回路基板を前記主基板ホルダーに押圧する風向突起と、
前記第１の加熱コイルを支持するバネが載置される風向ボスと、
前記風向誘導壁から側方に延び、空気が前記筐体の底面に流れることを抑制するブロックと、を更に有する
請求項７に従属する請求項８記載の加熱調理器。
【請求項１０】
前記ファンカバーは、
前記インバーター回路基板を前記主基板ホルダーに押圧するカバー突起を更に有する
請求項２〜６のいずれか１項に従属する請求項８記載の加熱調理器。
【請求項１１】
前記筐体の内部に設けられ、前記ファンが固定されるファンホルダーを更に備え、
前記ファンホルダーは、
前記ファンが載置され、空気が流れる通気穴が形成されたファン載置部と、
前記ファン載置部から延び、前記ファンの前記吐出口から吹き出される空気を前記インバーター回路基板に導く吐出誘導壁と、
前記ファン載置部の側方に設けられ、空気をファンの上部に誘導するファン誘導壁と、
前記第２の加熱コイルを支持するバネが載置されるホルダーボスと、を有する
請求項１〜１０のいずれか１項に記載の加熱調理器。
【請求項１２】
前記筐体の内部に設けられ、前記インバーター回路基板に電源を供給する電源回路基板と、
前記電源回路基板が固定される電源基板ホルダーと、を更に備え、
前記電源基板ホルダーは、
前記電源回路基板が載置される電源基板載置部と、
前記電源基板載置部から上方に突出する電源基板突起と、
前記電源基板載置部の縁部から立設する電源基板壁と、
前記電源回路基板に接続されるケーブルの配線方向を固定する電源基板ロック機構と、を有する
請求項１〜１１のいずれか１項に記載の加熱調理器。
【請求項１３】
前記主基板ホルダーと、前記ファンホルダーと、前記電源基板ホルダーとが、一体化されている
請求項８に従属する請求項１１に従属する請求項１２記載の加熱調理器。
【請求項１４】
前記筐体の背面には、空気が排出される排気口が形成されており、
前記排気口は、
前記筐体において前記第２の加熱コイルの後方に形成されている
請求項１〜１３のいずれか１項に記載の加熱調理器。
【請求項１５】
前記インバーター回路基板には、
前記第１の加熱コイル及び前記第２の加熱コイルを駆動する電子部品と、
前記電子部品を冷却するヒートシンクと、が設けられており、
前記ヒートシンクは、
前記インバーター回路基板の中心から前記筐体の幅方向にずれた位置に配置されている
請求項１〜１４のいずれか１項に記載の加熱調理器。
【請求項１６】
前記第１の加熱コイルは、
前記第２の加熱コイルよりも前方に配置されている
請求項１〜１５のいずれか１項に記載の加熱調理器。
【発明の詳細な説明】
【技術分野】
【０００１】
本発明は、ファンが送る空気によって筐体の内部が冷却される加熱調理器に関する。
【背景技術】
【０００２】
従来、ファンが送る空気によって筐体の内部が冷却される加熱調理器が知られている。ワンルームマンション等の小さいキッチンでは、コンパクトタイプの２口の加熱コイルを有する加熱調理器が設置される場合がある。このようなコンパクトタイプの加熱調理器は、筐体の大きさと比べて、内部部品の発熱量が比較的多い。特に、加熱コイルと、加熱コイルを駆動するインバーター回路基板とは、かなり高温となる。特許文献１には、筐体の内部において、第１の加熱コイル及び第２の加熱コイルが対角線状に配置された加熱調理器が開示されている。特許文献１では、第１の加熱コイル及び第２の加熱コイルが配置されていない部分に、第１の加熱コイル及び第２の加熱コイルを駆動するインバーター回路基板が設置されている。特許文献１は、第１の加熱コイル、第２の加熱コイル及びインバーター回路基板のそれぞれに一つずつファンが設けられることによって、筐体の内部の発熱量を抑えようとするものである。
【先行技術文献】
【特許文献】
【０００３】
【特許文献１】特開２０１３−２６１６９号公報
【発明の概要】
【発明が解決しようとする課題】
【０００４】
しかしながら、特許文献１に開示された加熱調理器は、筐体の内部の冷却のために、４台のファンが使用されている。このように、多数のファンを設けることによって、コストの増加、組立時間の増加及び騒音レベルの上昇という問題が生じる。
【０００５】
本発明は、上記のような課題を背景としてなされたもので、コストの削減、組立時間の短縮及び騒音レベルの低減を実現する加熱調理器を提供するものである。
【課題を解決するための手段】
【０００６】
本発明に係る加熱調理器は、筐体と、筐体の内部において、それぞれ対角線状に配置された第１の加熱コイル及び第２の加熱コイルと、筐体の内部に設けられ、第１の加熱コイル及び第２の加熱コイルを駆動するインバーター回路基板と、筐体の内部において第２の加熱コイルの下方に設けられ、インバーター回路基板に向かって空気が吹き出される吐出口が形成されたファンと、を備え、ファンは、インバーター回路基板、第１の加熱コイル、第２の加熱コイルの順に空気が流れる風路を筐体の内部に形成する。
【発明の効果】
【０００７】
本発明によれば、ファンは、インバーター回路基板、第１の加熱コイル、第２の加熱コイルの順に空気が流れる風路を筐体の内部に形成するため、１台のファンで、インバーター回路基板、第１の加熱コイル及び第２の加熱コイルを冷却することができる。従って、ファンの台数を減らすことができる。このため、コストの削減、組立時間の短縮及び騒音レベルの低減を実現することができる。
【図面の簡単な説明】
【０００８】
【図１】本発明の実施の形態１に係る加熱調理器１を示す斜視図である。
【図２】本発明の実施の形態１に係る加熱調理器１から天板３が外された状態を示す斜視図である。
【図３】本発明の実施の形態１に係る加熱調理器１から天板３が外された状態を示す上面図である。
【図４】本発明の実施の形態１に係る加熱調理器１を示す正面図である。
【図５】本発明の実施の形態１に係る加熱調理器１を示す分解斜視図である。
【図６】本発明の実施の形態１に係る加熱調理器１の空気の流れを示す上面断面図である。
【図７】本発明の実施の形態１に係る加熱調理器１の空気の流れを示す斜視図である。
【図８】本発明の実施の形態２に係る加熱調理器２００から天板３が外された状態を示す斜視図である。
【図９】本発明の実施の形態３に係る加熱調理器３００から天板３が外された状態を示す斜視図である。
【図１０】本発明の実施の形態３に係る加熱調理器３００を示す分解斜視図である。
【図１１】本発明の実施の形態４に係る加熱調理器４００から天板３が外された状態を示す斜視図である。
【図１２】本発明の実施の形態４に係る加熱調理器４００から天板３が外された状態を示す上面図である。
【図１３】本発明の実施の形態４に係る加熱調理器４００を示す正面図である。
【図１４】本発明の実施の形態４に係る加熱調理器４００を示す分解斜視図である。
【図１５】本発明の実施の形態４に係る加熱調理器４００の空気の流れを示す正面断面図である。
【図１６】本発明の実施の形態４に係る加熱調理器４００の空気の流れを示す断面斜視図である。
【発明を実施するための形態】
【０００９】
実施の形態１．
以下、本発明に係る加熱調理器の実施の形態について、図面を参照しながら説明する。図１は、本発明の実施の形態１に係る加熱調理器１を示す斜視図である。この図１に基づいて、加熱調理器１について説明する。図１に示すように、加熱調理器１は、例えばキッチンのキャビネット内に収納されて使用されるビルトイン型の誘導加熱調理器である。加熱調理器１は、筐体２と、天板３とを備えている。
【００１０】
（筐体２，天板３）
筐体２は、上面が開口された箱状の部材である。天板３は、筐体２の上部に設置され、筐体２の上面の開口を覆う板状の部材である。筐体２は、奥行方向（矢印Ｙ方向）が幅方向（矢印Ｘ方向）よりも若干長くなっている。天板３は、ガラス製のプレート３ａと、プレート３ａの外周を囲む金属製のプレート枠３ｂとを有している。天板３のプレート３ａには、被加熱物を載置する位置の目安となる第１の位置表示３ｃ及び第２の位置表示３ｄが設けられている。第１の位置表示３ｃ及び第２の位置表示３ｄは、加熱調理器１の２つの加熱口に対応して設けられている。第１の位置表示３ｃは、天板３の前方且つ一側方に設けられ、第２の位置表示３ｄは、天板３の後方且つ他側方に設けられている。筐体２と天板３とによって、加熱調理器１の外郭が構成されている。
【００１１】
図２は、本発明の実施の形態１に係る加熱調理器１から天板３が外された状態を示す斜視図、図３は、本発明の実施の形態１に係る加熱調理器１から天板３が外された状態を示す上面図、図４は、本発明の実施の形態１に係る加熱調理器１を示す正面図、図５は、本発明の実施の形態１に係る加熱調理器１を示す分解斜視図である。図２、図３、図４及び図５に示すように、加熱調理器１は、筐体２及び天板３のほかに、第１の加熱コイル４と、第２の加熱コイル５と、ファン１０と、インバーター回路基板６と、電源回路基板１３と、主基板ホルダー９と、ファンホルダー１１と、電源基板ホルダー１４と、ファンカバー１２と、風向誘導部１５とを備えている。なお、筐体２の底面において、第２の加熱コイル５の下方には、空気が吸い込まれる吸気口２ａが形成されている。また、筐体２の背面において、電源回路基板１３及び第２の加熱コイル５の後方には、空気が排出される排気口２ｂが形成されている。
【００１２】
（第１の加熱コイル４，第２の加熱コイル５）
第１の加熱コイル４は、筐体２の内部の前方且つ一側方に設けられており、高周波電流が流れることによって被加熱物を加熱する誘導加熱コイルである。第１の加熱コイル４は、天板３の第１の位置表示３ｃの下方に設けられている。第１の加熱コイル４には、自身を支持する３つのバネ１６ａ，１６ｂ，１６ｃが取り付けられている。第２の加熱コイル５は、筐体２の内部の後方且つ他側方に設けられており、高周波電流が流れることによって被加熱物を加熱する誘導加熱コイルである。即ち、第１の加熱コイル４と第２の加熱コイル５とは、筐体２の内部においてそれぞれ対角線状に配置されている。第２の加熱コイル５は、天板３の第２の位置表示３ｄの下方に設けられている。第２の加熱コイル５には、自身を支持する３つのバネ１６ｄ，１６ｅ，１６ｆが取り付けられている。
【００１３】
（ファン１０）
ファン１０は、筐体２の内部において第２の加熱コイル５の下方に設けられており、筐体２の内部に空気を取り込む機器である。本実施の形態１では、ファン１０は、例えばシロッコファンである。ファン１０の側部には、空気が吹き出される吐出口１０ａが形成されている。吐出口１０ａは、筐体２の前方に向かって開口されており、吸気口２ａから吸い込まれた空気は、筐体２の前方に吹き出される。
【００１４】
（インバーター回路基板６）
インバーター回路基板６は、筐体２の内部に設けられており、筐体２の内部の前方に配置されている。即ち、インバーター回路基板６の一部は、第１の加熱コイル４に覆われている。インバーター回路基板６は、筐体２の幅方向に長い長方形状をなしている。ここで、筐体２は、奥行方向に長い。即ち、インバーター回路基板６の長手方向と筐体２の長手方向とは、直交している。
【００１５】
インバーター回路基板６の上面には、第１の加熱コイル４及び第２の加熱コイル５を駆動する複数の電子部品７と、電子部品７を冷却するヒートシンク８とが設けられている。ここで、ヒートシンク８は、インバーター回路基板６の中心から筐体２の幅方向にずれた位置に配置されている。なお、第１の加熱コイル４は、インバーター回路基板６の上方に跨って配置されている。その際、ヒートシンク８が、インバーター回路基板６の中心から筐体２の幅方向にずれた位置に配置されているため、第１の加熱コイル４とヒートシンク８とが干渉せずに済む。
【００１６】
（電源回路基板１３）
電源回路基板１３は、筐体２の内部に設けられており、筐体２の内部の後方且つ一側方に配置されている。電源回路基板１３は、インバーター回路基板６に電源を供給する。電源回路基板１３には、ノイズを除去する除去部品が設けられており、筐体２の内部の部品に供給する電流が流れるケーブルと、外部電源の差込口に接続された電源ケーブルとが接続されている。なお、電源ケーブルは、筐体２に形成された穴を通って外部電源まで延びている。
【００１７】
（主基板ホルダー９）
主基板ホルダー９は、筐体２の内部に設けられ、インバーター回路基板６を筐体２に固定する部材であり、ネジ等で筐体２の内部の前方に固定されている。主基板ホルダー９は、主基板載置部９ｄと、主基板突起９ａと、主基板壁９ｂと、主基板ロック機構９ｃとを有している。主基板載置部９ｄは、インバーター回路基板６が載置される部材である。主基板突起９ａは、主基板載置部９ｄから上方に突出する突起であり、複数設けられている。主基板突起９ａは、インバーター回路基板６を支えることによって、インバーター回路基板６に設けられた電子部品７の重さにより主基板載置部９ｄが撓むことを抑制する。主基板壁９ｂは、主基板載置部９ｄの縁部から立設する部材である。主基板壁９ｂは、筐体２と天板３との間に形成される隙間から液体が内部に入り込んだとき、液体がインバーター回路基板６上に侵入することを抑制する。主基板ロック機構９ｃは、インバーター回路基板６上の端子に接続されるケーブルの配線方向を固定する機構である。
【００１８】
（ファンホルダー１１）
ファンホルダー１１は、筐体２の内部に設けられ、ファン１０を筐体２に固定する部材であり、ネジ等で筐体２の内部の後方且つ他側方に固定されている。ファンホルダー１１は、ファン載置部１１ｈと、吐出誘導壁１１ｆと、ファン誘導壁１１ｇと、ホルダーボス１１ｂ，１１ｃ，１１ｄ，１１ｅとを有している。ファン載置部１１ｈは、ファン１０が載置され、空気が流れる通気穴１１ａが形成された部材である。吐出誘導壁１１ｆは、ファン載置部１１ｈから前方に延び、ファン１０の吐出口１０ａから吹き出される空気を筐体２の前方に導く壁である。これにより、吐出誘導壁１１ｆは、吐出口１０ａから吹き出される空気が、ファンホルダー１１と主基板ホルダー９との間、インバーター回路基板６と主基板ホルダー９との間に入り込むことを抑制する。
【００１９】
ファン誘導壁１１ｇは、ファン載置部１１ｈの側方に設けられ、空気をファン１０の上部に誘導する壁である。ホルダーボス１１ｂ，１１ｃ，１１ｄ，１１ｅは、第１の加熱コイル４を支持する１つのバネ１６ｃ及び第２の加熱コイル５を支持する３つのバネ１６ｄ，１６ｅ，１６ｆが載置される部材である。このように、第２の加熱コイル５は、ホルダーボス１１ｂ，１１ｄ，１１ｅとの間にバネ１６ｄ，１６ｅ，１６ｆを挟んで設けられている。
【００２０】
（電源基板ホルダー１４）
電源基板ホルダー１４は、筐体２の内部に設けられ、電源回路基板１３を筐体２に固定する部材であり、ネジ等で筐体２の内部の後方且つ一側方に固定されている。電源基板ホルダー１４は、電源基板載置部１４ｄと、電源基板突起１４ａと、電源基板壁１４ｂと、電源基板ロック機構１４ｃとを有している。電源基板載置部１４ｄは、インバーター回路基板６が載置される部材である。電源基板突起１４ａは、電源基板載置部１４ｄから上方に突出する突起であり、複数設けられている。電源基板突起１４ａは、電源回路基板１３を支えることによって、電源回路基板１３に設けられた電子部品７の重さにより電源基板載置部１４ｄが撓むことを抑制する。電源基板壁１４ｂは、電源基板載置部１４ｄの縁部から立設する部材である。電源基板壁１４ｂは、筐体２と天板３との間に形成される隙間から液体が内部に入り込んだとき、液体が電源回路基板１３上に侵入することを抑制する。電源基板ロック機構１４ｃは、電源回路基板１３上の端子に接続されるケーブルの配線方向を固定する機構である。
【００２１】
（ファンカバー１２）
ファンカバー１２は、ファン１０及びヒートシンク８を覆い、筐体２の内部の風路の一部を形成する部材であり、ネジ等で主基板ホルダー９又はファンホルダー１１に固定されている。即ち、ファンカバー１２は、筐体２の内部において前方且つ他側方に設けられている。ファンカバー１２は、カバー本体部１２ｆと、湾曲部１２ａと、カバー部１２ｂと、カバー突起１２ｃと、カバー誘導壁１２ｄとを有している。カバー本体部１２ｆは、ファン１０の上面を覆う部材である。なお、カバー本体部１２ｆの上面と、ファンホルダー１１のファン誘導壁１１ｇの上端とは、同等の高さを有しており、ファン誘導壁１１ｇによって上昇した空気は、カバー本体部１２ｆの上面に流入する。
【００２２】
湾曲部１２ａは、カバー本体部１２ｆに接続され、吐出口１０ａから吹き出された空気の流れが曲がるように湾曲した部材である。湾曲部１２ａの回転半径は、ヒートシンク８の幅の長さと同等である。湾曲部１２ａは、吐出口１０ａから吹き出された空気を曲げてカバー部１２ｂ側のヒートシンク８のフィンに空気を導入する。カバー部１２ｂは、湾曲部１２ａに接続され、ヒートシンク８の上面を覆う部材である。カバー部１２ｂは、ヒートシンク８のフィンの間から空気が漏れることを抑制する。カバー突起１２ｃは、湾曲部１２ａの下部に設けられており、主基板ホルダー９上に載置されたインバーター回路基板６を、主基板ホルダー９側に押さえる部材である。カバー誘導壁１２ｄは、カバー本体部１２ｆの上面から略垂直に延びるように立設し、カバー本体部１２ｆの上面に流れる空気を上方に誘導する部材である。カバー誘導壁１２ｄには、空気が上方に吹き出される複数のカバー吹出口１２ｅが形成されている。カバー吹出口１２ｅは、流れる空気の量を絞り込む機能を有する。
【００２３】
（風向誘導部１５）
風向誘導部１５は、第１の加熱コイル４の下方に設けられ、筐体２の内部の風路の一部を形成する部材であり、ネジ等で主基板ホルダー９に固定されている。即ち、風向誘導部１５は、インバーター回路基板６の上方のうち、ファンカバー１２が設けられていない部分である筐体２の前方且つ一側方端部に配置されている。風向誘導部１５は、風向誘導壁１５ａと、風向突起１５ｅと、風向ボス１５ｃ，１５ｄと、ブロック１５ｂとを有している。風向誘導壁１５ａは、インバーター回路基板６から流出した空気の流れが第１の加熱コイル４の周囲に沿って曲がるように湾曲しつつ略垂直に立設した部材である。
【００２４】
風向誘導壁１５ａには、空気の一部が上方に吹き出される複数の風向吹出口１５ｆが形成されている。風向吹出口１５ｆは、流れる空気の量を絞り込む機能を有する。このように、風向誘導壁１５ａは、ファンカバー１２内でヒートシンク８を通過した筐体２内の前方且つ他側方から流れる空気を、回転させて筐体２内の後方且つ他側方に誘導すると同時に上方にも誘導する。風向誘導壁１５ａは、前方に配置された第１の壁１５ａ１と、第１の壁１５ａ１よりも後方に配置された第２の壁１５ａ２とを有する。第１の壁１５ａ１の回転半径は、ヒートシンク８の幅の長さと同等である。第２の壁１５ａ２の回転半径は、ヒートシンク８の幅の２倍程度の長さである。これにより、第１の壁１５ａ１に流入する空気は、流れる向きを急峻に曲げられ、その後、第２の壁１５ａ２において、緩やかに曲げられる。
【００２５】
風向突起１５ｅは、風向誘導壁１５ａの下部に２個設けられており、主基板ホルダー９上に載置されたインバーター回路基板６を、主基板ホルダー９側に押さえる部材である。風向ボス１５ｃ，１５ｄは、第１の加熱コイル４を支持する２つのバネ１６ａ，１６ｂが載置される部材である。以上のように、第１の加熱コイル４は、風向ボス１５ｃ，１５ｄ及びホルダーボス１１ｃとの間にバネ１６ａ，１６ｂ，１６ｃを挟んで設けられている。ブロック１５ｂは、風向誘導壁１５ａから側方に延び、空気が筐体２の底面に流れることを抑制する部材である。ブロック１５ｂは、第２の壁１５ａ２を通過した空気が、主基板ホルダー９と電源基板ホルダー１４との間から筐体２の底面に流れ出ることを抑制する。
【００２６】
（空気の流れ）
図６は、本発明の実施の形態１に係る加熱調理器１の空気の流れを示す上面断面図であり、図４のＡ−Ａ断面図である。また、図７は、本発明の実施の形態１に係る加熱調理器１の空気の流れを示す斜視図である。次に、筐体２の内部における冷却された空気の流れについて説明する。図６及び図７では、ファン１０が動作することによって生じる空気の流れを、矢印で概念的に示す。図６に示すように、ファン１０が動作すると、筐体２の底面に形成された吸気口２ａから外部の空気がファンホルダー１１の通気穴１１ａを通って、ファン１０の内部に取り込まれる。ファン１０の内部に取り込まれた空気は、冷却風として吐出口１０ａから吹き出される。ファン１０の吐出口１０ａから吹き出された空気は、筐体２の内部の前方に流れる。
【００２７】
その際、ファンホルダー１１の吐出誘導壁１１ｆによって下方が覆われ、ファンカバー１２のカバー本体部１２ｆによって上方が覆われているため、空気は外部に漏れない。筐体２の内部の前方に流れた空気は、ファンカバー１２の湾曲部１２ａに沿って、インバーター回路基板６のヒートシンク８のフィンに流れ込む。その際、ファンカバー１２のカバー部１２ｂによって上方が覆われているため、空気は外部に漏れない。これにより、空気は、ヒートシンク８に取り付けられた高温状態の電子部品７を冷却する。
【００２８】
ヒートシンク８を通過した空気は、風向誘導部１５に向かって流れ、風向誘導部１５の風向誘導壁１５ａに当たり、筐体２の内部の上方の第１の加熱コイル４に流れる空気と、筐体２の内部の後方の第２の加熱コイル５に流れる空気とに分かれる。このうち、上方に流れる空気は、風向誘導壁１５ａの上部に形成された風向吹出口１５ｆによって絞り込まれながら吹き出され、第１の加熱コイル４の高温箇所に当たる。これにより、第１の加熱コイル４の高温箇所を集中して冷却することができる。
【００２９】
一方、後方に流れる空気は、湾曲した風向誘導壁１５ａに沿ってファンホルダー１１側に流れる。その際、風向誘導部１５のブロック１５ｂによって下方が覆われているため、空気は外部に漏れない。図７に示すように、ファンホルダー１１に流れる空気は、ファンホルダー１１の側部のファン誘導壁１１ｇによって上昇し、ファンカバー１２の上面に流入する。ファンカバー１２の上面に流入する空気は、ファンカバー１２の上面に設けられたカバー誘導壁１２ｄによって上方に誘導される。上方に誘導された空気は、カバー誘導壁１２ｄの上部に形成されたカバー吹出口１２ｅによって絞り込まれながら吹き出され、第２の加熱コイル５の高温箇所に当たる。これにより、第２の加熱コイル５の高温箇所を集中して冷却することができる。その後、空気は、筐体２の排気口２ｂを通って、筐体２の外部に排出される。以上のとおり、ファン１０は、インバーター回路基板６、第１の加熱コイル４及び第２の加熱コイル５の順に空気が流れる風路を筐体２の内部に形成している。
【００３０】
本実施の形態１によれば、ファン１０は、インバーター回路基板６、第１の加熱コイル４、第２の加熱コイル５の順に空気が流れる風路を筐体２の内部に形成するため、１台のファン１０で、インバーター回路基板６、第１の加熱コイル４及び第２の加熱コイル５を冷却することができる。従って、冷却に使用されるファン１０の台数を減らすことができる。このため、コストを削減することができる。また、ファン１０の固定作業及び煩雑なファンケーブルの配線作業が不要となるため、組立時間を短縮することができる。更に、ファン１０の台数が減ることによって、騒音レベルの低減を実現することができる。
【００３１】
また、ファン１０が筐体２の内部の後方に配置されており、これに伴って筐体２の内部の後方に吸気口２ａが形成されている。このように、筐体２の前方のキッチンから、吸気口２ａが遠いため、キッチンにいる利用者から騒音が聞こえ難い。また、ファンカバー１２、風向誘導部１５、主基板ホルダー９及びファンホルダー１１が設けられていることによって、風路において空気が円滑に流れることを促進することができる。
【００３２】
実施の形態２．
図８は、本発明の実施の形態２に係る加熱調理器２００から天板３が外された状態を示す斜視図である。本実施の形態２は、筐体２１において排気口２１ｂが形成されている位置が、実施の形態１と相違する。本実施の形態２では、実施の形態１と同一の部分は同一の符号を付して説明を省略し、実施の形態１との相違点を中心に説明する。
【００３３】
図８に示すように、排気口２１ｂは、筐体２１において第２の加熱コイル５の後方に形成されており、電源回路基板１３の後方には形成されていない。これにより、湾曲した風向誘導壁１５ａに沿って流れる空気が、電源回路基板１３側ではなくファンホルダー１１の方向に流れ易い。このため、ファンホルダー１１の上面のファンカバー１２の上方に設けられた第２の加熱コイル５に流入する空気が増加する。従って、第２の加熱コイル５の温度上昇をより抑えることができる。更に、筐体２１において電源回路基板１３の後方が塞がっているため、外部から電源回路基板１３の近傍に液体が侵入することを抑制することができる。
【００３４】
実施の形態３．
図９は、本発明の実施の形態３に係る加熱調理器３００から天板３が外された状態を示す斜視図、図１０は、本発明の実施の形態３に係る加熱調理器３００を示す分解斜視図である。本実施の形態３は、主基板ホルダー９と、ファンホルダー１１と、電源基板ホルダー１４とが一体化された一体化ホルダー３１を有している点で、実施の形態１と相違する。本実施の形態３では、実施の形態１と同一の部分は同一の符号を付して説明を省略し、実施の形態１との相違点を中心に説明する。
【００３５】
図９及び図１０に示すように、一体化ホルダー３１は、ネジ等で筐体２に固定されており、主基板ホルダー部３２と、ファンホルダー部３３と、電源基板ホルダー部３４と、一体化ロック機構３５とを有している。主基板ホルダー部３２は、インバーター回路基板６を筐体２に固定する。主基板ホルダー部３２は、主基板載置部９ｄと、主基板突起９ａと、主基板壁９ｂと、主基板ロック機構９ｃとを有している。主基板載置部９ｄは、インバーター回路基板６が載置される部材である。主基板突起９ａは、主基板載置部９ｄから上方に突出する突起であり、複数設けられている。主基板突起９ａは、インバーター回路基板６を支えることによって、インバーター回路基板６に設けられた電子部品７の重さによって主基板載置部９ｄが撓むことを抑制する。主基板壁９ｂは、主基板載置部９ｄの縁部から立設する部材である。主基板壁９ｂは、筐体２と天板３との間に形成される隙間から液体が内部に入り込んだとき、液体がインバーター回路基板６上に侵入することを抑制する。
【００３６】
ファンホルダー部３３は、ファン１０を筐体２に固定する。ファンホルダー部３３は、ファン載置部１１ｈと、吐出誘導壁１１ｆと、ファン誘導壁１１ｇと、ホルダーボス１１ｂ，１１ｃ，１１ｄ，１１ｅとを有している。ファン載置部１１ｈは、ファン１０が載置され、空気が流れる通気穴１１ａが形成された部材である。吐出誘導壁１１ｆは、ファン載置部１１ｈから前方に延び、ファン１０の吐出口１０ａから吹き出される空気を筐体２の前方に導く壁である。これにより、吐出誘導壁１１ｆは、吐出口１０ａから吹き出される空気が、インバーター回路基板６と主基板ホルダー部３２との間に入り込むことを抑制する。
【００３７】
ファン誘導壁１１ｇは、ファン載置部１１ｈの側方に設けられ、空気をファン１０の上部に誘導する壁である。ホルダーボス１１ｂ，１１ｃ，１１ｄ，１１ｅは、第１の加熱コイル４を支持する１つのバネ１６ｃ及び第２の加熱コイル５を支持する３つのバネ１６ｄ，１６ｅ，１６ｆが載置される部材である。このように、第２の加熱コイル５は、ホルダーボス１１ｂ，１１ｄ，１１ｅとの間にバネ１６ｄ，１６ｅ，１６ｆを挟んで設けられている。
【００３８】
電源基板ホルダー部３４は、電源回路基板１３を筐体２に固定する。電源基板ホルダー部３４は、電源基板載置部１４ｄと、電源基板突起１４ａと、電源基板壁１４ｂと、電源基板ロック機構１４ｃとを有している。電源基板載置部１４ｄは、インバーター回路基板６が載置される部材である。電源基板突起１４ａは、電源基板載置部１４ｄから上方に突出する突起であり、複数設けられている。電源基板突起１４ａは、電源回路基板１３を支えることによって、電源回路基板１３に設けられた電子部品７の重さによって電源基板載置部１４ｄが撓むことを抑制する。電源基板壁１４ｂは、電源基板載置部１４ｄの縁部から立設する部材である。電源基板壁１４ｂは、筐体２と天板３との間に形成される隙間から液体が内部に入り込んだとき、液体が電源回路基板１３上に侵入することを抑制する。
【００３９】
一体化ロック機構３５は、インバーター回路基板６上の端子に接続されるケーブルの配線方向を固定する機構である。
【００４０】
本実施の形態３によれば、一体化ホルダー３１が使用されているため、主基板ホルダー９と、ファンホルダー１１と、電源基板ホルダー１４との間に隙間が生じている場合に、隙間に空気が漏れる可能性を払拭することができる。このため、高温部品に流れる空気の量が増加し、１台のファン１０で高温部品の温度上昇を充分に抑えることができる。
【００４１】
実施の形態４．
図１１は、本発明の実施の形態４に係る加熱調理器４００から天板３が外された状態を示す斜視図、図１２は、本発明の実施の形態４に係る加熱調理器４００から天板３が外された状態を示す上面図、図１３は、本発明の実施の形態４に係る加熱調理器４００を示す正面図である。本実施の形態４は、ファンカバー４１がダクト４１ｆとダクト誘導壁４１ｇとを有している点で、実施の形態１と相違する。本実施の形態４では、実施の形態１と同一の部分は同一の符号を付して説明を省略し、実施の形態１との相違点を中心に説明する。
【００４２】
図１１、図１２及び図１３に示すように、ファンカバー４１は、ダクト４１ｆと、ダクト誘導壁４１ｇとを有している。ダクト４１ｆは、カバー部１２ｂの上部に設けられ、インバーター回路基板６に流れる空気の一部が流入する流路４１ｈが内部に形成されている。ダクト誘導壁４１ｇは、ダクト４１ｆから流出した空気をカバー本体部１２ｆに誘導する壁である。
【００４３】
図１４は、本発明の実施の形態４に係る加熱調理器４００を示す分解斜視図である。図１４に示すように、ファンカバー４１は、ファン１０及びインバーター回路基板６を覆い、筐体２の内部の風路の一部を形成する部材であり、ネジ等で主基板ホルダー９又はファンホルダー１１に固定されている。即ち、ファンカバー４１は、筐体２の内部において前方且つ他側方に設けられている。前述の如く、ファンカバー４１は、カバー本体部１２ｆと、湾曲部１２ａと、カバー部１２ｂと、カバー突起１２ｃと、カバー誘導壁１２ｄとのほかに、ファンカバー４１は、ダクト４１ｆと、ダクト誘導壁４１ｇとを有している。カバー本体部１２ｆは、ファン１０の上面を覆う部材である。なお、カバー本体部１２ｆの上面と、ファンホルダー１１のファン誘導壁１１ｇの上端とは、同等の高さを有しており、ファン誘導壁１１ｇによって上昇した空気は、カバー本体部１２ｆの上面に流入する。
【００４４】
湾曲部１２ａは、カバー本体部１２ｆに接続され、吐出口１０ａから吹き出された空気の流れが曲がるように湾曲した部材である。湾曲部１２ａの回転半径は、ヒートシンク８の幅の長さと同等である。湾曲部１２ａは、吐出口１０ａから吹き出された空気を曲げてカバー部１２ｂ側のヒートシンク８のフィンに空気を導入する。カバー部１２ｂは、湾曲部１２ａに接続され、ヒートシンク８の上面を覆う部材である。カバー部１２ｂは、ヒートシンク８のフィンの間から空気が漏れることを抑制する。カバー突起１２ｃは、湾曲部１２ａの下部に設けられており、主基板ホルダー９上に載置されたインバーター回路基板６を、主基板ホルダー９側に押さえる部材である。カバー誘導壁１２ｄは、カバー本体部１２ｆの上面から略垂直に延びるように立設し、カバー本体部１２ｆの上面に流れる空気を上方に誘導する部材である。カバー誘導壁１２ｄには、空気が上方に吹き出される複数のカバー吹出口１２ｅが形成されている。カバー吹出口１２ｅは、流れる空気の量を絞り込む機能を有する。
【００４５】
ダクト４１ｆは、湾曲部１２ａから吹き出された空気の流れが曲がるように湾曲した部材であり、内部に空気の流路４１ｈが形成されている。ダクト４１ｆの流路４１ｈの回転半径は、ヒートシンク８の幅の長さと同等である。なお、ダクト４１ｆの流路４１ｈの口径は、適宜変更可能である。ダクト誘導壁４１ｇは、ダクト４１ｆから流出した空気をカバー本体部１２ｆに誘導する湾曲した壁である。ダクト誘導壁４１ｇの回転半径は、ヒートシンク８の幅の長さと同等である。
【００４６】
図１５は、本発明の実施の形態４に係る加熱調理器４００の空気の流れを示す正面断面図であり、図１２のＢ−Ｂ断面図である。図１６は、本発明の実施の形態４に係る加熱調理器４００の空気の流れを示す断面斜視図であり、図１３のＣ−Ｃ断面図である。次に、ファンカバー４１の内部における冷却された空気の流れについて説明する。図１５及び図１６では、ファン１０が動作することによって生じる空気の流れを、矢印で概念的に示す。なお、ファン１０の吐出口１０ａから吹き出されて湾曲部１２ａに至るまでの空気の流れは、実施の形態１と同様である。図１５に示すように、湾曲部１２ａを通過する空気は、ヒートシンク８側とダクト４１ｆの流路４１ｈ側とに分岐して流れる。ヒートシンク８の側面に当たって上方に流れた空気は、ダクト４１ｆの流路４１ｈに流入する。これにより、空気は、ファンカバー４１の上部で渦を巻くことなく流路４１ｈに流れていく。
【００４７】
図１６に示すように、ダクト４１ｆの流路４１ｈに流入した空気は、ダクト４１ｆの流路４１ｈにおいて回転し、ダクト誘導壁４１ｇに流れる。ダクト誘導壁４１ｇに流入した空気は、ダクト４１ｆ流入壁によって更に回転し、カバー本体部１２ｆ側に流れる。ファンホルダー１１に流れる空気は、ファンホルダー１１の側方のファン誘導壁１１ｇによって上昇し、ファンカバー４１の上面に流入する。ファンカバー４１の上面に流入する空気は、ファンカバー４１の上面に設けられたカバー誘導壁１２ｄによって上方に誘導される。上方に誘導された空気は、カバー誘導壁１２ｄの上部に形成されたカバー吹出口１２ｅによって絞り込まれながら吹出し、第２の加熱コイル５の高温箇所に当たる。これにより、第２の加熱コイル５の高温箇所を集中して冷却することができる。なお、ヒートシンク８に流れた後の空気の挙動は、実施の形態１と同様である。
【００４８】
本実施の形態４によれば、ファン１０から吹き出されたばかりの空気が、第２の加熱コイル５に直接流れる。このため、第２の加熱コイル５をより冷却することができる。また、ダクト４１ｆの流路４１ｈの口径を変更することによって、第１の加熱コイル４と第２の加熱コイル５とに流れる空気の量を調整することができる。これにより、第１の加熱コイル４の発熱量及び第２の加熱コイル５の発熱量のそれぞれに適した空気の分配を行うことができる。従って、１台のファン１０で、インバーター回路基板６、第１の加熱コイル４及び第２の加熱コイル５を充分に冷却することができる。
【符号の説明】
【００４９】
１  加熱調理器、２  筐体、２ａ  吸気口、２ｂ  排気口、３  天板、３ａ  プレート、３ｂ  プレート枠、３ｃ  第１の位置表示、３ｄ  第２の位置表示、４  第１の加熱コイル、５  第２の加熱コイル、６  インバーター回路基板、７  電子部品、８  ヒートシンク、９  主基板ホルダー、９ａ  主基板突起、９ｂ  主基板壁、９ｃ  主基板ロック機構、９ｄ  主基板載置部、１０  ファン、１０ａ  吐出口、１１  ファンホルダー、１１ａ  通気穴、１１ｂ，１１ｃ，１１ｄ，１１ｅ  ホルダーボス、１１ｆ  吐出誘導壁、１１ｇ  ファン誘導壁、１１ｈ  ファン載置部、１２  ファンカバー、１２ａ  湾曲部、１２ｂ  カバー部、１２ｃ  カバー突起、１２ｄ  カバー誘導壁、１２ｅ  カバー吹出口、１２ｆ  カバー本体部、１３  電源回路基板、１４  電源基板ホルダー、１４ａ  電源基板突起、１４ｂ  電源基板壁、１４ｃ  電源基板ロック機構、１４ｄ  電源基板載置部、１５  風向誘導部、１５ａ  風向誘導壁、１５ａ１  第１の壁、１５ａ２  第２の壁、１５ｂ  ブロック、１５ｃ，１５ｄ  風向ボス、１５ｅ  風向突起、１５ｆ  風向吹出口、１６ａ，１６ｂ，１６ｃ，１６ｄ，１６ｅ，１６ｆ  バネ、２１  筐体、２１ｂ  排気口、３１  一体化ホルダー、３２  主基板ホルダー部、３３  ファンホルダー部、３４  電源基板ホルダー部、３５  一体化ロック機構、４１  ファンカバー、４１ｆ  ダクト、４１ｇ  ダクト誘導壁、４１ｈ  流路、２００  加熱調理器、３００  加熱調理器、４００  加熱調理器。
【図１】
2018147568.tif 000003
【図２】
2018147568.tif 000004
【図３】
2018147568.tif 000005
【図４】
2018147568.tif 000006
【図５】
2018147568.tif 000007
【図６】
2018147568.tif 000008
【図７】
2018147568.tif 000009
【図８】
2018147568.tif 000010
【図９】
2018147568.tif 000011
【図１０】
2018147568.tif 000012
【図１１】
2018147568.tif 000013
【図１２】
2018147568.tif 000014
【図１３】
2018147568.tif 000015
【図１４】
2018147568.tif 000016
【図１５】
2018147568.tif 000017
【図１６】
2018147568.tif 000018